(57)【特許請求の範囲】
【請求項１】
天板を脚支柱に支持させてなるものであって、
脚支柱が、横断面において周回する壁部を有しその壁部の内側に閉じられた中空部が形成された支柱本体と、この支柱本体の隣接位置に形成され内部が前記壁部を利用して閉塞されると共に一部がスリットを介して開放された配線通過部とを具備してなり、この配線通過部に前記スリットを介して配線を出し入れできるようにし、
前記配線通過部が、前記支柱本体の壁部と、この壁部から外方に延びる突出部とによって部分的に囲まれているものであり、
基端がＣ字状をなす配線止めを、その基端を前記突出部の先端に設けた隆起部に装着し得るようにしていることを特徴とする天板付き家具。
【請求項２】
支柱本体の壁部の一部分と突出部とが、見掛け上脚支柱の外壁を形成していることを特徴とする請求項１記載の天板付き家具。
【請求項３】
突出部が、支柱本体とともに押し出し成形により一体成形されていることを特徴とする請求項１又は２記載の天板付き家具。
【請求項４】
支柱本体の壁部を利用して、接地体を装着するための装着部を形成していることを特徴とする請求項１、２又は３記載の天板付き家具。
【請求項５】
装着部が、支柱本体とともに押し出し成形により一体成形されていることを特徴とする請求項４記載の天板付き家具。
【請求項６】
配線通過部を閉塞する配線止めを、スリットの長手方向の適宜部位に選択的に装着し得るようにしていることを特徴とする請求項１、２、３、４又は５記載の天板付き家具。
【請求項７】
家具が、隣接する脚支柱間を開放してなるテーブルであることを特徴とする請求項１、２、３、４、５又は６記載の天板付き家具。
【発明の詳細な説明】
【０００１】
【発明の属する技術分野】
本発明は、配線の引き回しを好適に行い得るようにした天板付き家具に関するものである。
【０００２】
【従来の技術】
近時のＯＡ化の進展に伴って、オフィスや家庭における電力線や通信線の引き回し量が膨大になってきている。そして、特にオフィスに設置されるミーティング用のテーブル等は、天板が脚支柱によって部分的に支持された構造を有し、広い下肢空間が確保されている反面、天板上にパーソナルコンピュータ等を配置したときに、電源線や通信線が周囲に氾濫して、天板上の作業面を狭めたり、フロアー上の歩行の障害になるなどの不都合が生じている。
【０００３】
そこで、このような不都合を解消するために、支柱内に配線挿通部を形成して配線を収納しておくようにしたものが開発されている。
【０００４】
【発明が解決しようとする課題】
ところで、支柱を完全な中空体状のものにすると、配線作業の度に、配線を長手方向の一端から挿入して他端側から取り出す手順を踏まなければならない。しかしながら、テーブルの設置状態で、脚支柱の下端は床に設置しており、上端には天板が取り付けられているため、かかる設置状態のままで配線作業を行うことは困難である。
【０００５】
そこで、従来のものは、テーブルを設置したままの状態で配線の出し入れを可能にするために、脚支柱を部分中空体状のものにして一部に上下方向に延びるスリットを形成し、このスリットを介して配線挿通部に配線を出し入れできるようにしている。このため、配線作業の便は確保できるものの、脚支柱の横断面に現われる壁部が完全に閉じていないため、脚支柱の剛性を損ねる結果を招いている。
【０００６】
このような不都合は、テーブルに限らず、一部にＯＡ機器類を収容して利用に供する他の天板付き家具にも同様に言える場合がある。
【０００７】
本発明は、上記のような不都合に鑑みてなされたものであって、脚支柱の強度を損ねることなく、配線を好適に隠蔽し、かつその配線の出し入れを簡便に行い得るようにした天板付き家具を提供しようとするものである。
【０００８】
【課題を解決するための手段】
本発明は、かかる目的を達成するために、次のような構成を採用したものである。
【０００９】
すなわち、本発明の天板付き家具は、天板を脚支柱に支持させてなるものであって、脚支柱が、横断面において周回する壁部を有しその壁部の内側に閉じられた中空部が形成された支柱本体と、この支柱本体の隣接位置に形成され内部が前記壁部を利用して閉塞されると共に一部がスリットを介して開放された配線通過部とを具備してなり、この配線通過部に前記スリットを介して配線を出し入れできるようにし、前記配線通過部が、前記支柱本体の壁部と、この壁部から外方に延びる突出部とによって部分的に囲まれているものであり、基端がＣ字状をなす配線止めを、その基端を前記突出部の先端に設けた隆起部に装着し得るようにしていることを特徴とする。
【００１０】
このような構成のものであれば、床から立ち上げた、或いは天板上から落とし込んだ配線を、脚支柱の内部に形成した配線通過部に通過させて外部に露出させないようにすることができる。しかも、この配線通過部はスリットを介して部分的に開放されているため、テーブルを設置した状態のままで、該スリットを介して配線通過部に対する配線の出し入れ作業も有効に行うことができる。その上、このような配線通過部を設けても、脚支柱を構成する支柱本体は壁部が周回して閉じているため、天板付き家具を支持する脚支柱としての剛性を損なう不都合も有効に回避することが可能となる。
【００１１】
具体的な実施の態様としては、配線通過部が、支柱本体の壁部と、この壁部から外方に延びる突出部とによって部分的に囲まれている形態のものが挙げられる。
【００１２】
この場合、脚支柱の外観を良好なものにするためには、支柱本体の壁部の一部分と突出部とが、見掛け上脚支柱の外壁を形成していることが望ましい。
【００１３】
その際、製造の便を向上させるためには、突出部を、支柱本体とともに押し出し成形により一体成形することが好ましい。
【００１４】
部品点数の削減を図るためには、支柱本体の壁部を利用して、接地体を装着するための装着部を形成しておくことが効果的である。
【００１５】
この場合も、製造の便を向上させるためには、装着部を、支柱本体とともに押し出し成形により一体成形することが好ましい。
【００１６】
配線の収まりを良好なものにするためには、配線通過部を閉塞する配線止めを、スリットの長手方向の適宜部位に選択的に装着し得るようにしているものが好都合である。
【００１７】
本発明は、以上のような構成であるから、天板付き家具が、隣接する脚支柱間を開放してなる下肢空間の広いテーブルである場合に特に効果的である。
【００１８】
【発明の実施の形態】
以下、本発明の一実施形態を、図面を参照して説明する。
【００１９】
図１及び図２は、本実施形態の天板付き家具であるテーブルを示している。このテーブルは、天板１と、この天板１の四隅近傍の下面を支持する４本の脚支柱２とを備えたもので、床Ｆから立ち上げた配線Ｃ、或いは天板１から落とし込んだ配線Ｃを、前記脚支柱２の内部に通過させて収容しておくことができるようにしている。
【００２０】
具体的に説明すると、天板１は、下面中央に下向きコ字形の補強部材３を取り付けてなるもので、この補強部材３を利用して、パーソナルコンピュータＰＣを支持させるためのＰＣハンガー４１や、配線受け具４２のほか、テーブルトップパネルなどのオプション部材を取り付けることができるようにしている。
【００２１】
脚支柱２は、アルミ押し出し成形により一体に作られたもので、上端に板材２ａがねじ止め等により固定して設けてあり、この板材２ａを天板１の下面に重合させ、下方からねじ止めすることによって、該脚支柱２を天板１に取り付けている。
【００２２】
しかして、この脚支柱２は、図３及び図４に示すように、支柱本体２１と、配線通過部２２とを具備している。詳述すると、支柱本体２１は、横断面において半円弧を描く第１壁部Ａ１と、この第１壁部Ａ１の一端部から連続してＬ字状に延びる第２壁部Ａ２と、この第２壁部Ａ２の端部及び前記第１壁部Ａ１の他端から各々脚支柱２の中心に向かって延びる第３壁部Ａ３及び第４壁部Ａ４とよりなり、これら周回する壁部Ａ１、Ａ２、Ａ３、Ａ４によって内側空間を閉塞している。
【００２３】
また、この支柱本体２１の隣接位置には、第２壁部Ａ２と第３壁部Ａ３の交点から外方にＬ字状をなして延びる突出部２３が一体成形してあり、第１壁部Ａ１と第４壁部Ａ４の交点と、突出部２３の先端との間に、長手方向に延びるスリット２４を形成している。そして、突出部２３、第３領域Ａ３及び第４領域Ａ４によって概略Ｃ字状に閉塞され、かつ前記スリット２４を介して部分的に開放された位置に、本発明の配線通過部２２を形成している。
【００２４】
そして、これら支柱本体２１の第１壁部Ａ１、第２壁部Ａ２及び突出部２３が、外部に露出する位置に現われ、見掛け上脚支柱２の外壁を形成している。
【００２５】
なお、前記突出部２３の先端には、部分円柱状の隆起部２３ａが押し出し成形時に設けてあり、この隆起部２３ａに、基端２５ａがＣ字状をなす樹脂製の配線止め２５を弾性により装着して、脚支柱２の長手方向の適宜部位においてスリット２４を塞ぎ、配線通過部２２を閉塞し得るようにしている。
【００２６】
また、この脚支柱２の下端には、壁部Ａ等を利用してアジャスタを取り付けることも可能としている。そのために、押し出し成形時に、前記第３壁部Ａ３と第４壁部Ａ４との交点に中心を脚支柱２の中心に合致させて部分円筒状の軸装着部２６ａを形成していると共に、前記第１壁部Ａ１の中央部の内面、前記第２壁部Ａ２の屈曲部位の内面、及び突出部２３の屈曲部位の内面に、部分円筒状のピン装着部２６ｂを形成している。一方、アジャスタ５は、その本体上部に設けられた取付板部５１に、前記軸装着部２６ａに装着可能な軸部５２と、前記ピン装着部２６ｂに装着可能なピン５３とを形成されているもので、これら軸部５２及びピン５３を各々対応する装着部２６ａ、２６ｂに装着してアジャスタ５を脚支柱２に取り付けることができるようにしている。
【００２７】
以上のようにして、本実施例のテーブルは、天板１を支持する脚支柱２が、横断面において周回する壁部Ａ１、Ａ２、Ａ３、Ａ４を有しそれら壁部Ａ１〜Ａ４の内側に閉じられた中空体状の支柱本体２１と、この支柱本体２１の隣接位置に形成され内部が第３壁部Ａ３及び第４壁部Ａ４を利用して閉塞されると共に一部がスリット２４を介して開放された配線通過部２２とを備え、この配線通過部２２に前記スリット２４を介して配線Ｃを出し入れすることができるものである。
【００２８】
このため、床Ｆから立ち上げた、或いは天板１上から落とし込んだ配線Ｃを、脚支柱２の内部に形成した配線通過部２２に通過させて外部に露出させないようにすることができ、天板１上でパーソナルコンピュータ等を使用する場合にも、配線Ｃが見苦しく乱雑に引き回される事態を有効に回避することが可能となる。しかも、この配線通過部２２はスリット２４を介して部分的に開放されているため、テーブル１を設置した状態のままで、該スリット２４を介して配線通過部２２に対する配線Ｃの出し入れも、配線Ｃの長手方向と直交する方向から有効に行うことができ、良好な使い勝手も得ることができる。特に、この実施形態では、図１に示すように、奥行き方向に隣接する一対の脚支柱２のスリット２４同士が対面するように、すなわちスリット２４が下肢空間側に開口するように設けてあり、外方に開口していないため、スリット２４の存在によって外観が損なわれる不都合も防止することができる。その上、このような配線通過部２２を設けても、脚支柱２を構成する支柱本体２１は壁部Ａ１〜Ａ４が周回して閉じているため、テーブルを支持する脚支柱１としての剛性を損なう不都合もなく、テーブルの機能を適正に維持することが可能となる。
【００２９】
具体的には、配線通過部２２が、支柱本体２１の第３壁部Ａ３及び第４壁部Ａ４と、第３壁部Ａ３から外方に延びる突出部２３とによって部分的に囲まれた形態をなすため、壁部Ａ３、Ａ４及び突出部２３の形状を通じて脚支柱２の形状を自由に規定することができ、目的、用途に応じて適切な設計を行うことが可能になる。
【００３０】
例えば、この実施形態では、支柱本体２１の第３壁部Ａ３、第４壁部Ａ４、及び突出部２３が、見掛け上脚支柱２の滑らかな外壁を形成しているため、脚支柱２としての安定感や一体感を好適に醸し出して、脚支柱２の外観を有効に整えることができる。
【００３１】
加えて、この実施形態では、支柱本体２１の第３壁部Ａ３と第４壁部Ａ４との交点部分、或いは、第１壁部Ａ１、第２壁部Ａ２等を利用して、接地体であるアジャスタ５を装着するための装着部２６ａ、２６ｂを形成しているため、別途に装着部を形成するための部材を導入する必要がなく、部品点数を有効に削減することができる。
【００３２】
この場合、突出部２３及び装着部２６ａ、２６ｂを、壁部Ａ１〜Ａ４の集合体である支柱本体２１とともに押し出し成形により一体に成形しているため、製造の便を有効に向上させることができる。
【００３３】
また、配線通過部２２を閉塞する配線止め２５を、スリット２４の長手方向の適宜部位に選択的に装着し得るようにしているため、配線Ｃのこぼれ止めを図って、収まりを良好なものにすることができる。
【００３４】
以上のように、この実施形態の天板付き家具であるテーブルは、天板１の下方空間に脚支柱２以外にテーブル構成要素が存在せず、広い下肢空間にあって脚支柱２が極めて目立ち易いものであるため、本発明を適用することによりテーブルの剛性を確保しつつ配線Ｃを好適に隠蔽できる機能は極めて有用なものとなり得る。
【００３５】
なお、各部の具体的な構成は、上述した実施形態のみに限定されるものではなく、本発明の趣旨を逸脱しない範囲で種々変形が可能である。例えば、配線通過部の内部を区画して、電源線と通信線を分離させて収納しておくようにすることも有効である。また、比較的配線の出し入れ頻度が低いものについては、脚支柱の中空部に収容しておくことを妨げるものではない。
【００３６】
【発明の効果】
本発明は、以上説明したような形態で実施され、以下に記載される効果を奏する。
【００３７】
すなわち、本発明の家具は、壁部を周回させて概略筒状の支柱本体を形成し、この支柱本体の隣接位置に、部分的にスリットを介して開放された配線通過部を形成して脚支柱を構成したものである。このため、支柱本体によって脚支柱の剛性を有効に確保しつつ、配線通過部によって床から立ち上げ、或いは天板から落とし込んだ配線を脚支柱からはみ出させずに好適に隠蔽して、天板付き家具においてＯＡ機器等を使用する際の環境を極めて良好なものにすることが可能になる。
【００３８】
配線通過部を、壁部の一部分と、この壁部から外方に延びる突出部とによって形成するようにした場合には、壁部の形状及び突出部の形状を通じて脚支柱の形態を比較的自由に規定することが可能になる。
【００３９】
特に、支柱本体の壁部の一部分と突出部とにより、見掛け上脚支柱の外壁を形成するようにした場合には、脚支柱としての安定感や一体感を好適に醸し出して、脚支柱の外観を有効に整えることができる。
【００４０】
また、支柱本体の壁部を利用して、接地体を装着するための装着部を形成するようにした場合には、別途に装着部を形成するための部材を導入する必要をなくして、部品点数や製造コストを有効に削減することが可能となる。
【００４１】
とりわけ、突出部や装着部を、支柱本体とともに押し出し成形により一体成形するようにした場合には、製造工程を短縮して、製造コストの一層の削減を図ることが可能になる。
【００４２】
配線通過部を閉塞する配線止めを、スリットの長手方向の適宜部位に選択的に装着し得るようにした場合には、配線の収まりを良好にして、脚支柱まわりの外観の確保を確実なものにすることができる。
【００４３】
以上のような構成であるから、本発明は、天板付き家具として下方空間が広く開放されたテーブルに適用した場合に高い効果を奏するものである。
【図面の簡単な説明】
【図１】本発明の一実施形態に係るテーブルの前方斜視図。
【図２】同側方斜視図。
【図３】同実施形態を構成する脚支柱の斜視図。
【図４】同横断面図。
【符号の説明】
１…天板
２…脚支柱
２１…支柱本体
２２…配線通過部
２３…突出部
２４…スリット
２５…配線止め
２６ａ、２６ｂ…装着部
Ａ１、Ａ２、Ａ３、Ａ４…壁部
Ｃ…配線
【図１】
0003794467.tif 000002
【図２】
0003794467.tif 000003
【図３】
0003794467.tif 000004
【図４】
0003794467.tif 000005